Podtech/llm-jp-corpus-v4-ja_patent huggingface dataset:
(57)【要約】【課題】  パルプ質の紙の防水性を高め、高い耐水性があり、しかも紙の硬化が弱く柔軟性がある紙に加工する。【解決手段】  紙面１ａの表裏面をインクで印刷２を施し、その後、反応性シリコーンをイソプロピルアルコールの溶剤で希釈した撥水剤と、合成樹脂・ロジン・鉱油・２，６−ジ−ターシャリーブチル−４−クレゾールで溶かしたワニス（枚葉ＯＰニス）を１：１０の割合で混合した防水剤Ａを塗布する。その後に上記撥水剤を紙の外周端面を塗布して、紙の全表面を防水剤、撥水剤でコーティングする。【選択図】図１
2011189271.tif 000002
【特許請求の範囲】
【請求項１】
パルプ質の紙の表面に印刷を施した後に、シリコーンを有機溶剤で希釈した撥水剤とワニスを１：７〜１３の容積割合で混合した防水剤でもって印刷した後の紙面表面にコーティングし、又紙の外周縁にシリコーンを溶剤で希釈した撥水剤を塗布し、紙の全表面を防水剤と撥水剤のコーティング層で被覆することを特徴とする紙の防水加工法。
【発明の詳細な説明】
【技術分野】
【０００１】
本発明は、印刷された紙を撥水剤及び防水剤でもって表面コーティングして防水性、耐久性の高い紙とする防水加工方法に関する。
【背景技術】
【０００２】
従来、紙の防水加工法は、紙面に印刷を施した後マットニスを塗布することで、防水性を高めていたが、紙面の外周端面から吸水・吸湿して紙の防水性が低いものであった。又マットニスが厚すぎると紙が硬化して折損し易く、又透明性が悪くなるものであった。
又、カチオン変性シリカ、粘土等を材料とする耐水性向上の被覆剤が、特表２００４−５００２６０号公報で知られている。
更に、板紙の表裏面に撥水剤を内添する耐水板紙が特開２００５−２０６９５７号公報で知られているが、これも、紙の端面から吸水して耐久性が低く、又撥水剤のみでは表面の防水性が低いものであった。
【先行技術文献】
【特許文献】
【０００３】
【特許文献１】特表２００４−５００２６０号公報
【特許文献２】特開２００５−２０６９５７号公報
【発明の概要】
【発明が解決しようとする課題】
【０００４】
本発明が解決しようとする課題は、これらの従来の問題点を解消し、防水性、耐久性がきわめて高く、透明性も高く且つ紙が土ほど硬化せず柔軟性がある紙の防水加工方法を提供することにある。
【課題を解決するための手段】
【０００５】
かかる課題を解決した本発明の構成は、
１）  パルプ質の紙の表面に印刷を施した後に、シリコーンを有機溶剤で希釈した撥水剤とワニスを１：７〜１３の容積割合で混合した防水剤でもって印刷した後の紙面表面にコーティングし、又紙の外周縁にシリコーンを溶剤で希釈した撥水剤を塗布し、紙の全表面を防水剤と撥水剤のコーティング層で被覆することを特徴とする紙の防水加工法
にある。
【発明の効果】
【０００６】
本発明によれば、シリコーンを有機溶剤で希釈した撥水剤をワニスに混合して防水剤とし、これを印刷した紙面の表面及び裏面をコーティングしたことで、紙の柔軟性があり且つ透明性と防水性が高い防水コーティング層を形成できた。又紙の外周端面はワニスを使わずにシリコーンを有機溶剤で希釈した撥水剤のみで塗布することで、変形し易い端面を柔軟に塗布し、紙を全面的に防水剤と撥水剤で被覆した。これによって、紙端面からの吸水・吸湿がなく耐水性が高くできた。又、紙表面はワニスが多く混入した被覆であるので防水性が高く、又撥水剤で硬度を少なくして透明性と柔軟性を出せた。
防水剤の撥水剤とワニスの比率が１：１３以下とすることで、防水加工した紙の柔軟性を確保し、又１：７以上とすることで耐水性、透明性を確保し、両方のバランスが良好な実用的なものとした。
【図面の簡単な説明】
【０００７】
【図１】図１は、本発明で防水加工された紙の断面図である。
【発明を実施するための形態】
【０００８】
本発明で使用するシリコーンを有機溶剤で希釈した撥水剤としては、シリコーンをイソプロピルアルコール等の溶剤で希釈したものが使用できる。又、これと混合するワニスとしては植物油と合成樹脂と鉱油等を混合したものが使用できる。望ましくは、ロジンを溶剤で溶かしたものが望ましい。又上記撥水剤とワニスは１：７〜１３、望ましくは１：１０の容積比で混合した防水剤を紙面の表裏面に塗布・吹付け・印刷によってコーティングするのが好ましい。
又、紙の端面に塗布する撥水剤はシリコーンをイソプロピルアルコール等の溶剤で希釈したものを使用する。この撥水剤は無色透明である。
紙の外周端面への撥水剤の塗布は手作業による塗布で行うことが実用的である。
【実施例１】
【０００９】
本発明の実施例について説明する。
本実施例は、撥水剤Ｂとして、イソプロピルアルコールの溶剤で反応性シリコーンを希釈したＫＳ−７００１製品（販売元／信越化学工業株式会社）溶液型撥水剤を使用した。
又、これと混合するワニスとして、合成樹脂・植物油（ロジン）を鉱油及び２，６−ジ−ターシャリーブチル−４−クレゾールで溶かした枚葉ＯＰニス（ＴＫニューブライト  マット  ＯＰニス／東洋インキ製造株式会社販売）を使用した。
上記撥水剤と上記枚葉ＯＰニスとを１：１０の容積比で混合した防水剤Ａとしている。
【００１０】
又、紙１の端面１ｂに手作業で塗布する撥水剤も上記防水剤Ａに使用した撥水剤を使用した。
【００１１】
この実施例では、まず紙面１ａの表裏面をインクで印刷２を施す。その後、印刷行程途中、上記防水剤Ａをローラをもって紙面の表裏面に薄くコーティングしてコーティング層３を形成する。
【００１２】
防水剤Ａを印刷した紙面１ａにコーティングした後紙面を所定の寸法形状に切断する。切断した後、紙面の外周端面１ｂ（切断面も含む）を、上記撥水剤Ｂのみの剤液を手作業で塗布する。端面コーティング層４を形成する。
【００１３】
このように、印刷した紙面１ａの表裏面は上記９防水剤Ａによってコーティングし、又その外周端面１ｂは上記撥水剤Ｂのみで塗布してコーティング層３，４で全面被覆する。
【００１４】
上記の防水加工された紙面は、ワニスと防水剤で紙面表面は光沢があって透明性が高く、防水剤中の撥水剤で硬質となるが、柔軟性が与えられ、変形に強いものとなっている。且つ防水性が高いものとなった。
又紙面の端面は柔軟性がある撥水剤のみによるコーティングとしていて、変形に耐え、しかも全面被覆したことで端面からの吸水・吸湿はなく、高い防水性、耐水性を可能とした。
【産業上の利用可能性】
【００１５】
本発明の防水加工された紙としては、屋外・野外活動で使用される紙、例えばゴルフスコアカード、地図、野外観察ノート、建設図面等に使用できる。
【符号の説明】
【００１６】
１    紙
１ａ  紙面
１ｂ  外周端面
２    印刷
３，４  コーティング層
Ａ    防水剤
Ｂ    撥水剤
【図１】
2011189271.tif 000003
(57)【要約】      （修正有）【課題】プラスチック、ゴム、紙などの材料で、金型成形で完成される機能部品などは、機能に適した表面を得るために、高価な特殊切削法、又、高価な特殊メッキ表面処理で金型を造ってきたが、なお、多孔性表面については不充分であり、より良質な多孔性表面の型を提供する。【解決手段】型素材の鉄、超硬を硬質アルミニウム系に変更し、硬質アルマイト処理をし、商品機能に適した充分な多孔性を得ることができ、軽くて、耐磨耗性の高い、陽酸化被膜をもつ金型で高品質の成型品を造る。【選択図】図１
2011189724.tif 000002
【特許請求の範囲】
【請求項１】
硬質アルミニウム素材加工表面に、硬質アルマイト処理をし、その型表面を多孔質にし、電気絶縁性にし、耐磨耗の高い酸化被膜を形成させ、金属に比べ軟質材料即ち、ゴム、紙、木、カーボン、銅粉末を入れたプラスチック、さらにプラスチック単体などの成型金型。
アルマイト処理は、ショウ酸溶液中でアルミを電極とする普通のやり方で処理し、硬さは、１５０ＨＶ以上とする。又、成型商品で必要に応じテフロン復合メッキを追加工できる。
【発明の詳細な説明】
【技術分野】
【０００１】  本発明は、金型の材質をアルミニウム系材料にし、型表面をアルマイト処理し、型の表面を活用した部品づくりに関するものである。
【技術背景】
【０００２】  樹脂、ゴム、紙、そして木などの型成形品商品を造る金型は、従来、鉄にクロムメツキをしたものが多くあったが、型材料をアルミニウム系にし、表面をアルマイト処理し、成形品の特長を、その商品の機能向上に役立て、利用したもので、型の加工、取扱いも便利である。
【発明が解決しようとする課題】
【０００３】  従来金型の問題点として、
１）商品の形状が復雑で、従来のメッキがつきにくいもの。
２）機能商品で、表面が、つるつる、ぴかぴか表面では不具合が生じる商品。
３）機能商品で１部分のみ多孔質、にしたい商品。
などの専用金型を造ることが課題である。
【課題を解決するための手段】
【０００４】  従来の金型材料の鉄をアルミニウム系素材に変更し、従来のメッキ加工を硬質アルマイト処理に変更し、型表面を陽極酸化被膜にする。
又、スムーズな動きを求める商品の金型には、テフロン複合メッキを追加する。
【発明の効果】
【０００５】  図１は、漁船の船底部分にＦＲＰのアルマイト処理金型で造ったプラスチック板を張りつけたもの。板表面の多孔性で、きっすい線より底に致る部分を空気だまりの小孔の多い表面のため、走行中は船主より供給する空気が可能な限り多くこの孔にしがみつき、走行時、水の抵抗を減らし、空気の抵抗に変えるため、気比８００倍の抵抗を半分の４００倍ぐらいにできことにより、走行エネルギを半分にできるので大きな省エネとなる。従って船首にばらまく空気集気装置を設けることが尚良い。船内にエヤーポンプを搭載したり、風力発電装置からでる風を船首に運ぶ方法など、すでに発明されている。
ＦＲＰ板を造るアルマイト処理金型はアルミ素材に６〜３０μの酸化被膜をつけ多孔性表面になる故、成型工程で１００％反映され、最適な船底板を造ることができ、アルマイト処理によりできる孔は、直径０．１〜３．０μの孔径。孔の深さ３〜２０μ、そして１ｍｍ２の中にできる孔数は、約６５０個で、船以外にも用途が多い。
【０００６】  図２は、１般の水ポンプシールに多く使われるメカシール部品の１部で、カーボンシールを示す。カーボンとプラスチックを混合し、成形型で造り、摺動平面使用の機能部品であるが、シール面の平面には、アルマイト処理金型の多孔性保持最適商品であり、この平面の孔内に、空気と少しの水のたまりが存在し、擢動抵抗を小さくし、シール効果を向上し耐久性を向上する。図３は本シール部品を成型するアルマイト処理金型を示し、１、２、３型全部をアルマイト処理６〜２０μしたもの。
【０００７】  図４は、油と砂などをシールするオイルシールで２種のリップをもつシールの金型形状を示すものである。型材にアルミ７０００番を使用し、切削加工後、硬質アルマイト処理し、（１０μ厚み）したもの。オイルをとめる第１リップと、砂をとめる第２リップの先端（隅部分）迄、多孔質の酸化被膜が形成されているため、成型後のゴム商品には、シールするオイルが、ゴム表面の凹みに介在し、軸との擢動抵抗を小さくし、耐久性を向上し、シール効果を向上する。金型の加工に於ては、従来の鉄型に比べ軽く、取扱いが楽で切削性も良くなり、磨き時間も短縮され、さらにメッキ対比アルマイト処理精度も高く、隅の隅迄多孔質で、電気絶縁性、耐磨耗性が向上し、プラスチック、ゴムなどの商品金型としてベストである。
【０００８】  上述の通り、従来の硬鉄金型。超硬金型。ダイヤモンド付金型などの表面処理で不充分であった型部分、又、メッキ表面、アルマイト処理により、均一に、し、又、多孔性を活用できる、プラスチック、ゴム、木、紙などの商品に応用し、拡大する。
【産業上の利用可能性】
【０００９】  従来、アルマイト処理商品は、建材用、鍋の食機用などが主で、工業用としては、非常に少ないものであった。本発明は、新しく、竹、木、紙、プラスチック、さらにゴムなどを材料とする産業に利用される。船舶に利用すると、空気比８００倍の水抵杭を、１／２程度に減少する。
【図面の簡単な説明】
【００１０】
【図１】本発明の金型で造った板を船底にした船の側面図。
【図２】メカニカルシール擢動部品の正面断面図。
【図３】上記図２商品の成形型正面断面図。
【図４】オイルシールの成形型断面図
【符号の説明】１、成形型１面      ２、成形型２面
３、成形型３面
【図１】
2011189724.tif 000003
【図２】
2011189724.tif 000004
【図３】
2011189724.tif 000005
【図４】
2011189724.tif 000006
(57)【要約】【課題】  身回品に応用可能なバイオマスシート材を実現する。【解決手段】  ５１重量％以上の澱粉由来のバイオマス層の表裏面にポリエチレン層を積層した３層構造のシート材構造とすることで、バイオプラスチックのカーボンニュートラル性を維持しつつ、バイオプラスチックの弱点である非強度性を改善したシート材を実現した。【選択図】図１
2011189721.tif 000002
【特許請求の範囲】
【請求項１】
５１重量％以上の澱粉由来のバイオマス層の表裏面にポリエチレン層を積層した３層構造のバイオマスシート材。
【請求項２】
前記ポリエチレン層は、リニア低密度ポリエチレン、低密度ポリエチレンまたは高密度ポリエチレンからなる請求項１記載の３層構造のバイオマスシート材。
【請求項３】
前記バイオマスシート材を用いた袋状物。
【発明の詳細な説明】
【技術分野】
【０００１】  本発明は、袋状物に用いられる樹脂製のシートフィルムに関する。
【背景技術】
【０００２】  産業資源としてのバイオマス材が注目されている。バイオマス材とは、植物などを生物由来とした材料を意味する。バイオマス材は有機物であるため、燃焼させると二酸化炭素が排出される。しかしこれに含まれる炭素は、そのバイオマスが成長過程で光合成により大気中から吸収した二酸化炭素に由来する。そのため、バイオマス材を使用しても全体として見れば大気中の二酸化炭素量を増加させていないと考えてよいとされる。この性質をカーボンニュートラルと呼ぶ。【０００３】  このようなバイオマス材を用いたシート材は各種提案されている（たとえば、特開２０１０−３６３４１号公報（特許文献１）他）。
しかし、いずれも建築材の化粧シートの用途が殆どあった。
【先行技術文献】
【特許文献】
【０００４】
【特許文献１】  特開２０１０−３６３４１号
【発明の概要】
【発明が解決しようとする課題】
【０００５】  従来のバイオマス製品は、建築材の化粧シートとしての用途を考えて開発されたものであるため、必然的にシート全体が厚くなっていた。【０００６】  しかし、本発明者は環境問題を考える上で、買い物バッグ、スーパーマーケットやコンビニエンスストアのバッグ等の身回品にも当該バイオマス材が利用できないか検討した。しかし、バイオマス材でシートを形成した場合、強度が維持できず、バッグ表面に亀裂を生じ、バッグ内に収容した買い物品等が落下していしまう問題があった。
本発明はこのような点に鑑みてなされたものであり、身回品に応用可能なバイオマス材を用いたシート材を実現することを技術的課題とする。
【課題を解決するための手段】
【０００７】  本発明では、以下の手段を採用した。【０００８】  本発明の請求項１は、５１重量％以上の澱粉由来のバイオマス層の表裏面にポリエチレン層を積層した３層構造のバイオマスシート材である。
このような３層構造とすることによって、バイオプラスチックのカーボンニュートラル性を維持しつつ、バイオプラスチックの弱点である非強度性を改善したシート材を実現できる。【０００９】  本発明の請求項２は、前記ポリエチレン層は、リニア低密度ポリエチレン、低密度ポリエチレンまたは高密度ポリエチレンからなる請求項１記載の３層構造のバイオマスシート材である。
前記バイオマス層の表裏面にこれらのポリエチレン層を設けたことにより、強度をさらに向上させたシート材を提供することができる。【００１０】  本発明の請求項３は、前記バイオマスシート材を用いた袋状物である。
これによれば、コンビニエンスストア等の袋状物、すなわちバッグに適用することができる。
【発明の効果】
【００１１】  本発明によれば、身回品に応用可能なバイオマスシート材を提供できる。
【図面の簡単な説明】
【図１】  本発明の実施形態であるシート材の断面構造を示す説明図である。
【発明を実施するための形態】
【００１２】  本実施形態のシート材は図１に示すように、３層構造からなる。
最上層は厚さ１９μｍの高密度ポリエチレン（ＨＤＰＥ）、中間層は厚さ４０μｍのバイオマス材、最下層は厚さ１９μｍの高密度ポリエチレン（ＨＤＰＥ）で構成されている。
【００１３】  最上層と最下層は、リニア低密度ポリエチレン（ＬＬＤＰＥ）または高密度ポリエチレン（ＨＤＰＥ）であってもよい。
中間層は、植物性澱粉を含むバイオマス材であり、カプセルに収容された炭素（ＣＯ２）吸収材が添加されている。当該炭素吸収材はカプセル表面にナノレベルの孔が設けられているが、当該孔はカプセル内で凝集された炭素吸収剤によって閉塞されている。当該炭素吸収剤は前記カプセルがベシクル化して分散されたときに離反するため、表面積（吸収面積）が拡大し、炭素吸収剤の反応性が劇的に向上する。
【００１４】  当該シート材は、３層インフレーションダイスを用いて押し出し成形によって生成することができる。そして、このように形成された３層構造のシート材は、所定長さ毎に裁断され、端部が溶着されることによって袋状物（バッグ）に加工される。
【００１５】  このようにして得られた袋状物は、廃棄すなわち焼却される際に、前述の中間層に添加された炭素吸収材が拡散し、焼却時の二酸化炭素を吸収するため、焼却炉外部の外気中への二酸化炭素排出が効率的に抑制されることになる。
【産業上の利用可能性】
【００１６】  本発明は、コンビニエンスストア等で用いられるバッグに応用できる。
【図１】
2011189721.tif 000003
(57)【要約】【課題】    多種多様な自動車の窓枠に対応可能な方法が求められており、且つ作業性にも優れた柔軟な方法で設置することが可能な仕組みを提供することを課題とする。【解決手段】  網保持フレーム、留め具、網、両面テープから成り、網保持フレームの窓枠取り付け面側に両面テープを用いて車の窓枠に固定することができ、窓枠取り付け面と反対側に留め具の差し込み部を保持することができる矢印型溝が設けられ、留め具の差し込み部は網を押さえながら網保持フレームの矢印型溝に差し込むことで網と留め具を網保持フレームに保持することができる。また留め具の差し込み部と反対側は、網保持フレームより長く突き出ていることで余分な網を切り取る時の作業性を優れたものにしている。【選択図】図１
2011189923.tif 000002
【特許請求の範囲】
【請求項１】
網保持フレームにおいて、凹型断面を持つ紐状をした長尺物であり、窓枠取り付け面側に両面テープを用いて車の窓枠に固定することができ、窓枠取り付け面と反対側に留め具の差し込み部を保持することができる矢印型溝が設けられている。留め具においては、矢印型断面を持つ紐状をした長尺物であり、差し込み部に矢印型を取り付けた形をしており、網を押さえながら網保持フレームの溝に差し込むことで網と留め具を網保持フレームに保持することができることを特徴とする車窓網戸取付の方法。
【請求項２】
網保持フレームに留め具が保持された状態で、留め具の差し込み部と反対側である後端部は網保持フレームより長く突き出ていることを特徴とする請求項１記載の車窓網戸取付の方法。
【請求項３】
留め具において、差し込み部と反対側である後端部との間に溝を設けてあることを特徴とする請求項１記載及び請求項２記載の車窓網戸取付の方法。
【発明の詳細な説明】
【技術分野】
【０００１】本発明は自動車などの上下開閉窓枠に軟体系素材を用いた網保持フレームと留め具を設置して網を取り付ける為の車窓網戸取付の方法に関する。
【背景技術】
【０００２】従来の技術で、より優れた技術は幾つか存在する。（特許文献１参照）。
【特許文献１】  特開２０００−３０１９４２号公報（図１）
【発明が解決しようとする課題】
【０００３】従来存在する物で効果的なものは少ない。多種多様な自動車の窓枠に対応することができ、且つ取付作業性にも優れた商品を提供する。
【課題を解決するための手段】
【０００４】上記の目的を達成する為、本発明の、車窓網戸取付の方法では、網保持フレームにおいて、凹型断面を持つ紐状をした長尺物であり、窓枠取り付け面側に両面テープを用いて車の窓枠に固定することができ、窓枠取り付け面と反対側に留め具の差し込み部を保持することができる矢印型溝が設けられている。留め具においては、矢印型断面を持つ紐状をした長尺物であり、差し込み部に矢印型を取り付けた形をしており、網を押さえながら網保持フレームの溝に差し込むことで網と留め具を網保持フレームに保持することができる。
【０００５】本発明の、車窓網戸取付の方法では、網保持フレームに留め具が保持された状態で留め具の差し込み部と反対側である後端部は網保持フレームより長く突き出ていることを特徴とする。
【０００６】本発明の、車窓網戸取付の方法では、留め具において、差し込み部と反対側である後端部との間に溝を設けてあることを特徴とする
【０００７】本発明の、車窓網戸取付の方法においては、網保持フレームの溝及び留め具の差し込み部の形は、円型、二重矢印型、片側矢印型など色々考えられることを特徴とする。
【０００８】本発明の、車窓網戸取付の方法においては、網を取り付けた後、網保持フレームより長く突き出た留め具の根元にカッターを差し込むことで、余分な網を切り取ることができる。これにより取付側の網を間違えて切り取ってしまう失敗が無くなり、仕上がりと見映えの両立を図ることができる。また留め具の根元の部分を薄くして、幅を狭くする溝を設けることにより、余分な網と一緒に切り取ることができる。
【０００９】本発明の、車窓網戸取付の方法では、網保持フレーム及び留め具の素材はゴム又はビニール又はプラスチックなどの軟体系素材及び合成樹脂が適当である。
【００１０】本発明の、車窓網戸取付の方法では、網保持フレームと留め具断面の大きさは縦横それぞれ５０ｍｍ以下が適当であり、長さは１０ｍ以下が適当である。
【発明を実施するための形態】
【００１１】図１、図２、図３、図４、図５は本発明の、車窓網戸取付の方法の好適な実施の形態を示し、図１を主に説明する。網保持フレーム１は両面テープ５によって車の窓枠６に固定される。網４を網保持フレーム１に留め具２の差し込み部３と共に差し込み、網４の保持が完了する。次に余分な網４を網保持フレーム１より長く突き出た留め具２の根元にカッターを差し込み軽く移動することで簡単に切り離すことができる。
【発明の効果】
【００１２】以上説明した、本発明の、車窓網戸取付の方法を用いることで、蚊などの虫除け効果があり、車の停車中においては窓を全開にしたまま仮眠または休憩など快適に過ごすことができる。
【図面の簡単な説明】
【図１】本発明の、車窓網戸取付の方法において、図５のＡの断面拡大図。
【図２】本発明の、車窓網戸取付の方法における留め具の立体図。
【図３】本発明の、車窓網戸取付の方法における網保持フレームの立体図。
【図４】本発明の、車窓網戸取付の方法における網保持フレーム及び留め具の溝の色々な形を示したものである。図４Ｂは円型差し込み部であり、図４Ｃは二重矢印型差し込み部で、図４Ｄは片側矢印型差し込み部の形を用いた例である。
【図５】本発明の、車窓網戸取付の方法を用いたドアの窓枠設置例。
【符号の説明】１    網保持フレーム
２    留め具
３    差し込み部
４    網
５    両面テープ
６    車の窓枠
７    車の窓ガラス
８    ドア外側
９    円型差し込み部
１０  二重矢印型差し込み部
１１  片側矢印型差し込み部
【図１】
2011189923.tif 000003
【図２】
2011189923.tif 000004
【図３】
2011189923.tif 000005
【図４】
2011189923.tif 000006
【図５】
2011189923.tif 000007
(57)【要約】【課題】煉り状（歯磨き等）チュウブは使用回数が進むにつれチュウブの弾力性により使用後に空気がチュウブの中に入り次の使用時に空気が先に出終わるまで製品の液が出ない【解決手段】［図２］のようにチュウブ袋を二重にした。外チュウブ袋に空気（逆止め）取り入れ弁を付けた。その事により従来通りの使用方法で［図３］の（８）指で押すと（７）煉り液製品が出てくる。［図４］の（８）指を離すと（１）弁から（２）と（３）チュウブ袋の間に空気が入り次に指で押すと（２）と（３）間のチュウブ袋の空気が（３）のチュウブ袋を押すて（７）の液製品がでてくる。又［図１］の（３）と（１２）は一体である。この一体のチュウブ袋は取り換えを出来るようにした。【特許請求の範囲】
【請求項１】
１−［図２］のようにチュウブ袋を二重にした。
２−外チュウブ袋に空気（逆止め）取り入れ弁を付けた。
３−内チュウブ袋は製品袋である。
４−内チュウブ袋と外チュウブ袋の間に空気が入るようにした。
５−内チュウブ袋は弾力性の無いものを使用。
６−外チュウブ袋は弾力性の有るものを使用。
【請求項２】
１−内チュウブ袋は取り換えを出来るようにした。
【発明の詳細な説明】
【技術分野】
【０００１】この発明は、使い始めから終わりまで使用都度チュウブを指で押すと即製品の煉り状液が出てくるようにした。
【背景技術】
【０００２】従来までは、使用１回１回の後にチュウブから指で押す、のを、止めると製品液出口から空気が逆に入ていく。
【発明の開示】
【発明が解決しようとする課題】
【０００３】使用１回１回の後にも空気が製品液出口から入いらない様にした。
【課題を解決するための手段】
【０００４】チュウブを二重にしてチュウブとチュウブの間に空気を入る様にした（３）の内チュウブ袋に製品液の煉り液を入れる
（２）の外チュウブ袋に空気取り入れ口（逆止め弁）を付ける
【発明の効果】
【０００５】（１）の空気取り入れ逆止め弁を使用する事で内チュウブ袋と外チュウブ袋の間に一方向に入ることにより従来通りの使用方法でも１回１回の使用の度に気持ち良く使用出来るようにした
【発明を実施するための最良の形態】
【０００６】（３）の内チュウブ袋はネジ部以外は弾力性の無い柔らかなものを使用する。
（２）の外チュウブ袋は弾力性の有るものを使用する。
（１）の空気逆止め弁は、空気の逆流の無いようにする。
（９）（１０）（１１）（１２）のネジ部は空気の漏れの無いようにする。
【図面の簡単な説明】
【０００７】図面は斜視図である
図Ｉは分解図である
図２は組み立て図である
図３、図４は使用時の説明である
点線は（３）の内チュウブ袋を表している
【符号の説明】
【０００８】（１）から（１２）は各部の名称である。
【図１】
2011189981.tif 000002
【図２】
2011189981.tif 000003
【図３】
2011189981.tif 000004
【図４】
2011189981.tif 000005
(57)【要約】【課題】歯ブラシを使用する時、歯磨き粉と一体になった唾液が、歯ブラシの柄３の部分を伝わり，手首を汚すことがある。手首で止まらず下着の袖口まで汚すことがある。本発明は、この課題を解消するためになされたものである。【解決手段】歯ブラシの毛２の部分と、手に持つ柄３の一部分の間に、柄３の全周にわたり長円形の形状をした突起１をつける。歯ブラシを使用中、口から出る歯磨き粉と一体になった唾液の流れは、この長円形の突起１で止められる。この長円形の突起１があるから、歯磨き粉と一体になった唾液は、手首の方へ流れることを阻止される。流れを止められた歯磨き粉と一体になった唾液は、突起１より洗面台へ落ちる。【選択図】図１
2011189105.tif 000002
【特許請求の範囲】
【請求項１】
歯ブラシの毛の部分と、手に持つ柄の部分の間に、長円形の形状をした突起を付けた歯ブラシ。
【発明の詳細な説明】
【技術分野】
【０００１】歯ブラシを使用する時、歯磨き粉と一体になった唾液が、歯ブラシの柄の部分を伝わり手首を汚すことがある。手首で止まらず、下着の袖口まで汚すこともある。
本発明は、歯ブラシの柄の一部に、柄の全周にわたり長円形の形状をした突起を付け、歯磨き粉と一体になった唾液が手首に流れ込むのを、その突起で阻止できるようにしたものである。
流れを阻止された唾液は、その突起より洗面台へ落ちる。
【背景技術】
【０００２】従来は、歯磨き粉と一体になった唾液が、歯ブラシの柄を伝わり、手首に流れ込み、不快を感じることがあった。この唾液の流れ込みを阻止できるような歯ブラシはなかった。
【発明の開示】
【発明が解決しょうとする課題】
【０００３】歯ブラシを使用する時、歯磨き粉と一体になった唾液が、歯ブラシの柄の部分を伝わり手首を汚すことがある。手首で止まらず下着の袖先まで汚すことがある。本発明は、この課題を解消するためになされたものである。
【課題を解決するための手段】
【０００４】歯ブラシの毛２の部分と、手に持つ柄３の部分の間に、柄の全周にわたり長円形の形状した突起１を付ける。
歯ブラシを使用中、口から出る歯磨き粉と一体になった唾液の流れは、この長円形の突起１で止められる。
この長円形の突起１が有るから、歯磨き粉と一体になった唾液は、手首の方へ流れる事ができない。
流れを止められた、歯磨き粉と一体になった唾液は、この長円形をした突起１より洗面台へ落ちる。
また突起部を含め、材料は従来の歯ブラシと同じとする。
【発明の効果】
【０００５】歯を磨く時、歯ブラシの毛２の部分から、歯磨き粉と一体になった唾液が、柄３の部分を伝わり、手首を汚すことがある。手首で止まらず下着の袖口まで汚すことがある。この汚れを阻止するために、毛２の部分と手で持つ柄３の部分の間に、柄の全周にわたり長円形の突起１を付ける。歯磨き粉と一体になった唾液が柄３を伝わり、手首へ流れるのを、この長円形の突起１で阻止する。
以下、本発明の実施の形態について説明する。
（イ）歯ブラシの毛２の部分と手で持つ柄３の部分の間に、柄の全周にわたり長円形の突起１を付ける。
（ロ）長円形の突起１は、唾液を切り易く（洗面台に落ち易く）するために、その円弧の周囲の先端を鋭利な形状４とする。
（ハ）長円形の突起は、唾液を受け易くするために、凹面鏡の形状５とする。
（ニ）材料は従来の歯ブラシと同じとする。
【実施例１】
【０００６】歯ブラシの毛２の部分と手で持つ柄３の部分の間に、柄の全周にわたり長円形の突起１を付ける。
長円形の突起１は、唾液を切り易く（洗面台に落ち易く）するために、その円弧の周囲の先端を鋭利な形状４とする。
長円形の突起は、唾液を受け易くするために、凹面鏡の形状５とする。
材料は従来の歯ブラシと同じとする。
【図面の簡単な説明】
【０００７】
【図１】本発明の断面図（歯ブラシを真横から見た断面図）
【図２】本発明の平面図
【図３】本発明の突起部の正面図
【符号の説明】
【０００８】１  長円形の突起
２  歯ブラシの毛
３  歯ブラシの柄
４  突起の鋭利な先端形状
５  凹面鏡の形状をした突起
【図１】
2011189105.tif 000003
【図２】
2011189105.tif 000004
【図３】
2011189105.tif 000005
(57)【要約】【課題】男女兼用の洋式トイレが多くなり男子放尿後の便器の汚れが問題になっている、座って用足しするように進められているが、それでは、男子の立ったままでの放尿の爽快感を損なわれるのがブレーキになっている。【解決手段】水溶性の円錐形の紙具を作り、その中へ放尿することで、便器も汚れずに済み、立ち放尿の爽快感も失われないで済み、清潔な生活習慣も向上されるものである。【選択図】図２
2011189107.tif 000002
【特許請求の範囲】
【請求項１】
男子が大便器を使用して放尿する場合、洋式和式を問わず、散乱する事が多く見かけられるが、特殊な水溶性に加工された紙を丸めて、円錐形の筒にしその中に放尿することによって、放尿の強さに関係なく、便器の周りに尿の散乱を防止する事が出来る男子放尿時の散乱防止用紙具。
【請求項２】
素材紙は水溶性であるが、放尿時間内は破れに耐えられる様に一部複数枚重ね、ディプィング補強加工されていて、放尿の強さ、水分による溶解と重力、による破損を防いでいる構造を持つ散乱防止用紙具。
【発明の詳細な説明】
【技術の分野】
【０００１】本発明は男子が和洋大便器に立ったままで放尿するときに使用する、男子放尿時の散乱防止用紙具に関するものである。
【背景技術】
【０００２】従来は立ったままでは、殆どが便器を汚すことが多く、後で紙でふき取ることが大半だった、その為人に依っては便座に座って用足しする場合もある、色々洋便器に付いては工夫されているようだが便器以外の製品は見たことはない。
【発明の開示】
【発明が解決しようとする課題】
【０００３】生活様式の変化とともに男女兼用の洋式トイレが多くなり、男子の放尿後の便器の汚れが問題になつているが、決定的な解決方法がない、便座に座って用足しすれば解決するのだが、男子の立ったままでの放尿感はどうしても味わえないもので、絶対に無くなるものではない、この便器に散乱させず清潔を保つ問題と、立ったままでの放尿爽快感を味わうことを同時に成立させる、
本発明は以上の問題点を解決するものである。
【課題を解決するための手段】
【０００４】水溶性の紙を丸めて円錐形の筒にして、陰茎の挿入口を設け、筒の反対側に設けた出口を便器に向けることによって、便器の周りに尿の散乱を防止する事が出来る、又素材紙は放尿時間内に破れない様に補強加工され、放尿の強弱、水分による溶解、重力破損を防いでいる、
以上の構成よりなる男子放尿時の散乱防止用紙具。
【発明の効果】
【０００５】放尿時に便器に散乱した尿を拭き取る手間がかからず、又不潔さを気付かわなくて済むだけでなく、放尿の解放感が得られる事が大きい、現在トイレに関して一番の悩み事で、これを解決することが問題で、生活環境が大いに改善される事と思う。又紙具を捨てる個所さえ設ければ、小便器の場所にも使用できるものであり利用効果は想像以上のものになる。。
【発明を実施するための最良の形態】
【０００６】以下、本発明の実施の形態を説明する。
［図１］で示すように、水溶性の紙を丸めて円錐形の筒（３）にして、陰茎が十分に入る太さの径にした挿入口（１）を設けて、放尿が強く当たる部分（２）を破れを防止するために紙を二重にして強度を付け、放出口（４）を小さめにした穴を設け、放尿が早く思うところに落下するようにし、又水分の吸収により重量による破壊を防ぐようにした紙筒である、
本発明は以上のような構造である。
本発明を使用するときは、
［図２］で示すように、紙具を手元で陰茎をいれたまま同時に手でつかんで支え持ち、放出口（４）は便器（８）の中央に向け放尿（５）すると、尿は始め紙具の補強部（３）に当たり水分を吸収しながら、放出口（４）から速やかに便槽内の水（７）に流れ込むので、便槽の枠（６）や便槽のふた（９）に飛散せず、多少紙具を振っても尿は紙具内で当たり全て放尿出口（４）から出る、その為放尿口（４）だけの方向性を保てば、立つ位置が多少ずれても便器（８）の周りを汚すことはない、使用後はつまんでいた紙具を便器内に落とせば、水溶性なので水とともに流れる。
【図面の簡単な説明】
【０００７】
【図１】  本発明の紙具の斜視図
【図２】  本発明の使用時の斜視図
【符号の説明】
【０００８】（１）紙具の陰茎挿入口
（２）補強部分
（３）紙具本体
（４）紙具の放尿出口
（５）放尿
（６）便槽の枠
（７）便槽内の水
（８）便器
（９）便槽のふた
（１０）陰茎
【図１】
2011189107.tif 000003
【図２】
2011189107.tif 000004
(57)【要約】【課題】従来の絵画は昼夜何れの時間に鑑賞しても絵や色彩が変化する事はなく、当然いつも同じ絵であるため、変化する絵画を提供する。【解決手段】線で描いた絵、あるいはそれに加えて着色を施した白色用紙を設ける。前記と同じ線で描いた絵と別の絵を描き加え、共に着色を施したトレシングペーパー又は、明かりを通しやすい用紙を設ける。そのトレシングペーパーの上に白色用紙を、線で描いた絵が一致するように重ね合わせる。透明又は半透明アクリル板、あるいはガラス板の上に前記の２枚の用紙を置き、その上にもう一枚の透明アクリル板又は、ガラス板を重ね合わせ固着する。【選択図】図４
2011189104.tif 000002
【特許請求の範囲】
【請求項１】
線で描いた絵の白色用紙を設け、前期と同じ絵に着色を施したトレシングペーパー又は、明かりを通しやすい用紙を設け、その用紙の上に前記の白色用紙を絵が一致するよう重ね合わせ、透明または半透明版の上に前記の重ね合わせた用紙を配置し、更にその上にもう１枚の透明版を重ね合わせ固着した変化する絵画。
【請求項２】
照明器具を設けた電飾額縁に配置した請求項１の変化する絵画。
【発明の詳細な説明】
【技術分野】
【０００１】  本発明は観賞用絵画であり、描かれた絵が明りにより変化する絵画に関するものである。
【背景技術】
【０００２】  従来の絵画は壁等に掛け、鑑賞するものである。
【発明の概要】
【発明が解決しようとする課題】
【０００３】  従来の絵画は壁等に掛けて絵を鑑賞する際、昼や夜であっても絵や色彩が変化することがなかった。【０００４】  本発明は以上の問題を解決し、描かれた絵が変化する絵画を実現することを目的とするものである。
【課題を解決するための手段】
【０００５】  線で描いた絵、あるいはそれに加え着色を施した白色用紙を設ける。
そしてトレシングペーパー又は明かりを通しやすい用紙に前記と同じ線を描き、それに別の絵を描き加え着色を施した絵を設ける。
そのトレシングペーパーの上に、描いた絵が一致するように白色用紙を重ね合わせる。
透明、又は半透明アクリル板、あるいはガラス板の上に前記の２枚の用紙を重ね、その上にもう１枚の透明アクリル板、又はガラス板を重ね合わせ固着する。【０００６】  また第２の手段は、照明器具を設けた電飾額縁に、上記の固着した絵を配置する構成としたものである。
本発明は以上よりなる変化する絵画である。【０００７】  上記の課題解決手段による作用は次の通りである。
固着した絵のトレシングペーパー面を窓際に向け立てることにより、昼間の外の明かりがトレシングペーパー面に射し込み、トレシングペーパーに描かれた着色絵が白色用紙の表面に投影されて浮かび上がり、２枚の合成された絵になる。そして夜になり外の明かりが無くなることで、白色用紙に描かれた絵に戻る。このように外の明かりの有無により絵が変化する。【０００８】  また、第２の課題解決手段による作用は、電源スイッチの切り替えによって中の照明器具が点滅し、ＯＮで２枚の合成された絵、ＯＦＦで白色用紙に描かれた絵に変化する。
【発明の効果】
【０００９】  本発明の絵画は明かりを利用するもので、外が暗い夜は白色用紙に描いた絵を鑑賞することができ、夜明けと共に外からの明かりがトレシングペーパー面に差し込むことで、２枚の合成された絵を鑑賞することができる。このように明かりにより変化していく絵画を鑑賞することができるのである。【００１０】  また、電飾額縁の場合、電源スイッチの切り替えですぐに絵を変化させる事が出来るため、気分に合わせて変化する絵画を鑑賞することができる。【００１１】  応用例として、電気スタンドの傘、店の看板等に上記の構成を用いる事で、中の証明器具の点滅により絵柄が変化するのである。
【図面の簡単な説明】
【００１２】
【図１】本発明の２枚の絵用紙を重ね合わそうとする斜視図
【図２】本発明の白色用紙の正面図
【図３】本発明のトレシングペーパーの正面図
【図４】本発明の斜視図
【図５】本発明の図４に明かりの差し込みにより合成された絵画の正面図
【図６】本発明の実施形態を示す電飾額縁の部分断面斜視図
【発明を実施するための形態】
【００１３】  以下、本発明の実施の形態を図１〜図６に基づいて説明する。
【００１４】  図において、図２は線で描いた絵４又は、着色絵５で描かれた白色用紙１を設ける。
【００１５】  図３は図２の線で描いた絵４と同じ絵を描き、色を施した着色絵５Ａ、更に描き加えた着色絵６のトレシングペーパー２を設ける。
【００１６】  図１は半透明又は、透明アクリル板３の上に上記のトレシングペーパー２を置き、その上に上記の白色用紙１を着色絵５Ａと線で描いた絵４が一致するように重ね合わせる。
【００１７】  図４は更に透明アクリル板３Ａを図１の上に重ね合わせ、接着剤等で２枚のアクリル板３、３Ａを固着する。
【００１８】  図６は上記の固着したアクリル板３、３Ａを照明器具９の設置された電飾額縁８に配置する。
【００１９】  本発明を使用する場合は、アクリル板３、３Ａで固着した絵のトレシングペーパー２面を窓際に向けたてることにより、外の明かりが射し込み、トレシングペーパー２に描かれた着色絵５Ａ、書き加えた絵６が白色用紙１面に投影され浮かび上がることにより、図５のように重ね合った絵に変化するのである。
【００２０】  また、夜になり外の明かりが無くなることで図４の白色用紙１の線で描いた絵４、着色絵５だけの絵に戻る。以上のように外の明かりの有無で絵が変化するのである。
【００２１】  また、電飾額縁８の電源スイッチをＯＮにすることで照明器具９が点灯し図５の絵になり、ＯＦＦにすることで照明器具９が消灯して図４の絵になる。このようにいつでも絵を変化させることが出来るのである。
【符号の説明】
【００２２】  １    白色用紙      ２    トレシングペーパー    ３    アクリル板
３Ａ  アクリル板    ４    線で描いた絵          ５    着色絵
５Ａ  着色絵        ６    書き加えた着色絵      ７    合成された絵
８    電飾額縁      ９    照明器具
【図１】
2011189104.tif 000003
【図２】
2011189104.tif 000004
【図３】
2011189104.tif 000005
【図４】
2011189104.tif 000006
【図５】
2011189104.tif 000007
【図６】
2011189104.tif 000008
(57)【要約】【課題】  歯垢を、小さな力で効率的に取り除く、手動の歯垢除去具を提供する。【解決手段】  歯ブラシ頭部を枠で受け、その中間付近を軸でつなぎ、一定の範囲内で前後可動にすることで、歯ブラシ頭部全体の中心部付近の毛を支点として、歯ブラシ頭部が前後に回転し毛が突き刺す動きで歯垢を取り去ることを特徴とする手動式歯ブラシ頭部可動形歯垢除去具。【選択図】図３
2011189102.tif 000002
【特許請求の範囲】
【請求項１】
方形状の歯ブラシ頭部に、ワクを設け、軸と軸用穴により連結し歯ブラシ頭部が前後に傾くことを特徴とする、手動式歯ブラシ頭部可動形歯垢除去具。
【請求項２】
歯ブラシ頭部に突起、ワクにミゾを設けてなる請求項１記載の手動式歯ブラシ頭部可動形歯垢除去具。
【発明の詳細な説明】
【技術分野】
【０００１】  本発明は、食事後に歯や歯の周囲、歯間にこびり付く、食べカスや歯垢等を取り除く手動式歯ブラシ頭部可動形歯垢除去具である。
【背景技術】
【０００２】  従来、手動式頭部固定形歯ブラシは、歯に押し当てて、左右に動かすと、歯面に当たっている毛が、曲がったまま歯の表面をすべり、小刻みに動かさないと取れない。
【発明の概要】
【発明が解決しようとする課題】
【０００３】  そのために、次のような問題点がある。
（イ）日本人の歯は丸く、歯の間に隙間があり、円形状に並んでいるので、歯ブラシの毛    が届きにくい。
（ロ）ブラシを当てると、歯と毛の側面が接し、歯間に毛先が入り込めない。
（ハ）歯ブラシを６ミリ幅ぐらい小刻みに動かせば歯垢は取れやすいが、この動作は大人    でもむずかしく、歯垢が取れない。
本発明は、これらの問題点を解決されるためになされたものである。
【課題を解決するための手段】
【０００４】  歯ブラシ頭部（１）にワク（２）を設ける。
歯ブラシ頭部（１）の側面の中間に軸（３）と、その前側に突起（５）を設ける。
ワク（２）にそれに対する軸用穴（４）とミゾ（６）を設ける。
ワク（２）と軸（３）の左右への動きで、歯ブラシ頭部（１）が一定の範囲内で、左右に傾くことを特徴とする。
以上のような構成の手動式歯ブラシ頭部可動形歯垢除去具である。
【発明の効果】
【０００５】  本発明は、歯ブラシ頭部全体の中央付近の毛が支点となり、しかも、その支点自体も毛のたわみで移動方向にずれながら歯ブラシ頭部が傾くので歯に対し、側面に廻り込みながら突き刺す動きになるため歯垢が良く取れる。
また、子供でも少しの力と日常の字を書く１２ｍｍほどの手の幅の動きなので扱いやすく、効率よく歯垢が取れる。
そして、毛の突く動きで歯茎のマッサージになり血行もよくなり、歯ブラシの毛が傷めば歯ブラシ頭部の取替えだけなので省エネである。
【図面の簡単な説明】
【０００６】
【図１】本発明の斜視図である。
【図２】本発明の分解斜視図である。
【図３】本発明の動作状態を示した断面図である。
【図３】（ａ）歯ブラシ頭部の右方向へ移動し、停止時の状態を示した断面図である。
【図３】（ｂ）歯に押し当てた初めの状態を示した断面図である。
【図３】（ｃ）歯ブラシ頭部の左方向へ移動し、停止時の状態を示した断面図である。
【発明を実施するための形態】
【０００７】  以下、本発明の実施の形態について説明する。
（イ）歯ブラシ頭部（１）にワク（２）を設け、ワク（２）と握り部（７）をつなぐ。
（ロ）歯ブラシ頭部（１）の側面の中間に軸（３）を設ける。
対する軸用穴（４）をワク（２）に設ける。
（ハ）歯ブラシ頭部（１）の側面の軸（３）の前側に突起（５）を設ける。
対するミゾ（６）をワク（２）に設ける。
本発明は以上のような構造である。
本発明を使用するときは、歯ブラシ頭部（１）の軸（３）とワク（２）の軸用穴（４）を合わせて取り付ける。
歯（９）に、歯ブラシ頭部（１）を軽く押し付けて、握り部（７）を右方向へ動かすと、ワク（２）、軸（３）もともに動き、歯ブラシ頭部（１）とワク（２）は一体ではないので、歯ブラシ頭部（１）の左部分の毛（ハ）が歯の側面に掛かり、その抵抗により、歯ブラシ頭部（１）は、右へ傾き、軸（３）の周りを廻り始める。
そして、軸のさらなる移動により、左部分の毛（ハ）は、歯より浮き上がり、歯ブラシ頭部（１）は、軸（３）の移動と回転により、その歯ブラシ頭部（１）全体の中央部分（イ）を支点に、しかも（イ）の部分自体も毛のたわみと右方向への力ですべり歯ブラシ頭部（１）の突起（５）がワク（２）のミゾ（６）に着き、回転が止まるまで歯の右側面へ廻り込みながら右部分の毛（ロ）は、歯を突き歯垢を取り除く。
折り返し左方向への移動を始めると（ａ）から（ｂ）、そして（ｃ）の状態になり上記の動作と同様左部分の毛（ハ）が歯の左側面の歯垢を取り除く。
以上の動作を歯ブラシ頭部の位置を少しずつ変えて、全ての歯垢を取り除く。
【符号の説明】
【０００８】  １  ブラシ頭部
２  ワク
３  軸
４  軸用穴
５  突起
６  ミゾ
７  握り部
８  毛
（イ）歯ブラシ頭部の回転時の支点
（ロ）歯ブラシ頭部の右部分の毛
（ハ）歯ブラシ頭部の左部分の毛
【図１】
2011189102.tif 000003
【図２】
2011189102.tif 000004
【図３】
2011189102.tif 000005
【手続補正書】
【提出日】平成22年5月24日(2010.5.24)
【手続補正１】
【補正対象書類名】明細書
【補正対象項目名】０００６
【補正方法】変更
【補正の内容】
【０００６】
【図１】  本発明の斜視図である。
【図２】  本発明の分解斜視図である。
【図３】  本発明の動作状態を示した断面図である。（ａ）歯ブラシ頭部の右方向へ移動し、停止時の状態を示した断面図である。（ｂ）歯に押し当てた初めの状態を示した断面図である。（ｃ）歯ブラシ頭部の左方向へ移動し、停止時の状態を示した断面図である。
(57)【要約】【課題】  丸刃とは回転させて食品を押し当ててスライスする為の形状の円形の刃物であり、その円盤形の外周が鋭利な刃先となっている。現在、食品スライサーに丸刃は必要不可欠となっている。食品スライサーは、毎日、使用後の掃除、メンテナンスを行いますが、その際、丸刃は、刃先が露出した状態である為、手指の裂傷や切断といったケガの危険性があるためにマグネットシートカバーを提供する。【解決手段】  食品スライサーの修理、掃除等停止時に丸刃にカバーを取付ける丸刃物に対し、マグネットシート材の円形カバーを丸刃の中心にある取付けネジを芯に利用して磁力にて貼り付けて使用する。丸刃は、外周が刃先になっているが、丸刃に対し、外形が大きいので、刃先が露出しない構造となっている為、刃先に触れることを防ぐ。また、マグネット材を使用して工具なしで簡単に取付け、取外しができる。【選択図】図２
2011189491.tif 000002
【特許請求の範囲】
【請求項１】
食品スライサーの修理、掃除等停止時に、いろいろな食品スライサーの丸刃外径を上回るつまみ付きの円形のマグネットシートカバーを使用して、丸刃を中心から刃先まで露出を防ぐ安全対策カバー
【発明の詳細な説明】
【技術分野】
【０００１】食品スライサー停止時、点検、掃除の安全性の改善に関する
【背景技術】
【０００２】丸刃とは回転させて食品を押し当ててスライスする為の形状の円形の刃物で、円盤形の外周が鋭利な刃先となっている。【０００３】現在、食品スライサーに丸刃は必要不可欠である。【０００４】食品スライサーは、毎日、使用後、掃除、メンテナンスを行うが、その際、丸刃の刃先は露出した状態で、危険である。【０００５】食品スライサーにおける事故はメンテナンス又は掃除中が多く、パート従業員、アルバイトでも工具なく、安全にメンテナンス、掃除が出来る装置が強く望まれるようになった。
【発明の概要】
【発明が解決しようとする課題】
【０００６】メンテナンス時、掃除時に万が一、刃先に触ってしまった場合、手指の裂傷、又は切断を防ぐ。
【課題を解決するための手段】
【０００７】円形に形成されたマグネットシート１を丸刃６に対して磁石にて貼り付ける。丸刃よりマグネット１の方が外径が大きいものにする。貼り付ける事により、丸刃ｂの刃先の露出を防ぐようにした。
【発明の効果】
【０００８】材質がマグネットである為、金属の丸刃に対し、工具なしで取り付けられる。しかも、マグネットシートカバーを取付けることにより、食品スライサーの丸刃に手指が触れることなく、安全にメンテナンス、掃除ができる。
【図面の簡単な説明】
【０００９】
【図１】本発明の実施形態を示すマグネットシートカバーの正面図
【図２】マグネットシートカバーを食品スライサーへの取り付け図
【図３】マグネットシートカバーを食品スライサーの丸刃への取り付け断面図
【発明を実施するための形態】
【００１０】食品スライサーｃに装着してある丸刃ｂに対し、マグネットシートカバー１の２を持って、丸刃の中心にある取付けネジａに１−１の穴を通して、磁力にて貼り付けて使用する。
【実施例】
【００１１】実際に食品スライサーの丸刃に取り付けたところ、丸刃の刃先が露出する事無く安全にメンテナンス、掃除が出来た。
【産業上の利用可能性】
【００１２】いろいろな丸刃スライサーに適用可能になります。
【符号の説明】
【００１３】１      マグネットシートカバー
１−１  マグネットシートカバー中心取りつけ穴
１−２  マグネットシートカバーつまみ
ａ      丸刃取付けボルト
ｂ      丸刃本体
ｃ      食品スライサー丸刃駆動部
【図１】
2011189491.tif 000003
【図２】
2011189491.tif 000004
【図３】
2011189491.tif 000005